(57)【要約】【課題】スピニングリールの発音装置において、ロータの糸繰り出し方向の回転を容易に認識できるようにするとともに、常に発音するのを抑える。【解決手段】スピニングリールには、ロータ３が糸繰り出し方向に回転したときにそのことを報知するために発音する発音機構８０と、発音機構８０のオン状態とオフ状態とを切り換える切換機構９０とが設けられている。切換機構９０は、切換部９０ｂと、操作部９０ｄとを有している。操作部９０ｄが上位置に位置すると、切換部９０ｂの突起部９０ｅが係止部８７ｃに接触して、爪部８７ａが第２凹凸部８１から離反して、発音機構８０がオフ状態となる。【選択図】      図１０
2004305118.tif 000002
【特許請求の範囲】
【請求項１】
リール本体に回転自在に装着され釣り糸をスプールに巻き付けるロータの糸繰り出し方向の回転により発音するスピニングリールの発音装置であって、
前記ロータが糸繰り出し方向に回転したとき発音可能な発音手段と、
前記発音手段が発音可能なオン状態と発音不能なオフ状態とに切り換える切換手段と、
を備えたスピニングリールの発音装置。
【請求項２】
前記発音手段は、
前記ロータの糸繰り出し方向の回転に連動して回転し、回転方向に間隔を隔てて設けられた複数の凹凸部を有する第１発音部と、
前記第１発音部が糸繰り出し方向に回転したとき、先端部が前記凹凸部に当接を繰り返して発音する音出し部を有する第２発音部とを有している、請求項１に記載のスピニングリールの発音装置。
【請求項３】
前記第１発音部は、前記複数の凹凸部が配置され、前記ロータの糸繰り出し方向の回転を伝達するワンウェイクラッチから伝達された回転に連動して回転する回転部材である、請求項２に記載のスピニングリールの発音装置。
【請求項４】
前記回転部材は前記ロータの回転を制動する制動部材である、請求項３に記載のスピニングリールの発音装置。
【請求項５】
前記第２発音部は、先端部が前記凹凸部に当接可能に揺動自在に装着された爪部材と、前記爪部材の前記先端部を前記凹凸部方向に付勢するばね部材とを有している、請求項２から４のいずれかに記載のスピニングリールの発音装置。
【発明の詳細な説明】
【０００１】
【発明の属する技術分野】
本発明は、スピニングリールの発音装置、特に、ロータの糸繰り出し方向の回転により発音するスピニングリールの発音装置に関する。
【０００２】
【従来の技術】
一般に、磯釣りを行う場合、制動部材によってロータの糸繰り出し方向の回転（逆転）が制動されるロータ制動機構を有するレバーブレーキ型のスピニングリールがしばしば使用される。このレバーブレーキ型のスピニングリールは、ロータを張力に応じて逆転させて魚と簡単にやりとりすることができる。
【０００３】
この種のスピニングリールは、ロータの逆転に連動して回転する制動部材と、制動部材に先端が接触して制動力を調整可能な制動レバーと、制動レバーを制動部材に当接する所定制動位置と離反する制動解除位置とに切り換える切換部材とを備えている（たとえば、特許文献１参照）。制動レバーは、リール本体に釣竿装着部に接離する方向に揺動自在に支持されており、釣竿に接近する方向に操作すると、先端が制動部材を押圧して制動力が徐々に強くなる。このスピニングリールでは、切換部材により制動レバーを所定制動位置に切り換えると、ロータは所定制動状態に維持される。
【０００４】
【特許文献１】
特開平９−１４０３０３号公報
【０００５】
【発明が解決しようとする課題】
前記従来のスピニングリールでは、ロータが糸繰り出し方向に回転しても釣人が容易に認識することが困難であった。このような不具合を解消するために、ロータが糸繰り出し方向に回転したときにそのことを報知するために発音する発音機構を備えることが考えられる。この発音機構は、たとえば制動部材の内周面に周方向に沿って形成された複数の凹凸部に凹凸部方向に付勢された音出し爪を繰り返し当接させることにより発音する。これにより、釣人はロータの糸繰り出し方向の回転を容易に認識できる。
【０００６】
しかし、このような発音機構を備えたスピニングリールでは、ロータが糸繰り出し方向に回転したときに常に発音する。このため、釣人がロータの糸繰り出し方向の回転を特に知る必要がないときや静寂を要求されるとき等には、釣人やその周囲にとって、発音機構による発音が耳障りになるおそれが生じる。
本発明の課題は、スピニングリールの発音装置において、ロータの糸繰り出し方向の回転を容易に認識できるようにするとともに、常に発音するのを抑えることにある。
【０００７】
【課題を解決するための手段】
発明１に係るスピニングリールの発音装置は、リール本体に回転自在に装着され釣り糸をスプールに巻き付けるロータの糸繰り出し方向の回転により発音するスピニングリールの発音装置であって、ロータが糸繰り出し方向に回転したとき発音可能な発音手段と、発音手段が発音可能なオン状態と発音不能なオフ状態とに切り換える切換手段とを備えている。
【０００８】
この発音装置では、ロータが糸繰り出し方向に回転したとき発音可能な発音手段を有しているので、釣人はロータの糸繰り出し方向の回転を容易に認識することができる。また、発音手段のオン状態とオフ状態とを切り換える切換手段をさらに有しているので、釣人は場合に応じて発音手段をオフ状態にすることにより、ロータが糸繰り出し方向に回転したときに常に発音するのを抑えることができる。
【０００９】
発明２に係る発音装置は、発明１の発音装置において、発音手段は、ロータの糸繰り出し方向の回転に連動して回転し回転方向に間隔を隔てて設けられた複数の凹凸部を有する第１発音部と、第１発音部が糸繰り出し方向に回転したとき音出し部の先端部が凹凸部に当接を繰り返して発音する第２発音部とを有している。この場合、第１発音部はたとえばロータやロータに連動して回転する回転部材に設けられており、第１発音部が糸繰り出し方向に回転したとき、第１発音部の凹凸部に第２発音部の音出し部の先端部を当接させることにより、容易に発音できる。
【００１０】
発明３に係る発音装置は、発明２の発音装置において、第１発音部は、複数の凹凸部が配置され、ロータの糸繰り出し方向の回転を伝達するワンウェイクラッチから伝達された回転に連動して回転する回転部材である。この場合、ロータの糸繰り出し方向の回転のみを伝達するワンウェイクラッチにより、糸繰り出し方向の回転のみが回転部材に伝達され、糸巻き取り方向の回転は回転部材に伝達されない。このため、糸繰り出し方向の回転時のみ発音し、糸巻き取り方向の回転時に発音しないようにすることができる。
【００１１】
発明４に係る発音装置は、発明３の発音装置において、回転部材はロータの回転を制動する制動部材である。この場合、たとえば制動レバーの先端を接触させることにより制動力を調整可能な制動部材であって、この制動部材はロータの糸繰り出し方向の回転に連動して回転する。ここでは、第１発音部は制動部材に設けられているので、省スペース化を図ることができる。
【００１２】
発明５に係る発音装置は、発明２から４のいずれかの発音装置において、第２発音部は、先端部が凹凸部に当接可能に揺動自在に装着された爪部材と、爪部材の先端部を凹凸部方向に付勢するばね部材とを有している。この場合、第１発音部の凹凸部に第２発音部の爪部材をばね部材によって付勢しながら当接させることにより、歯切れよく発音できる。
【００１３】
【発明の実施の形態】
〔全体構成〕
本発明の一実施形態によるスピニングリールは、図１に示すように、釣竿の長手方向に沿う第１軸Ｘ回りに釣り糸を巻き取るリールであって、ハンドル１を備えたリール本体２と、リール本体２の前部に第１軸Ｘ回りに回転自在に支持されたロータ３と、ロータ３の前部に配置された釣り糸を巻き取るスプール４とを備えている。
【００１４】
リール本体２は、たとえば合成樹脂製である。リール本体２は、釣竿に装着される前後に長い装着部２ｃと、装着部２ｃと間隔を隔てて配置されたリールボディ２ａと、装着部２ｃとリールボディ２ａとを連結する脚部２ｂとを有している。リールボディ２ａは、内部に機構装着空間を有しており、その側部は開口している。この開口部分は蓋部材２ｄ（図３参照）により覆われている。リールボディ２ａの前部には、取付フランジ付きの金属製の筒状の取付部材２ｅが装着されている。
【００１５】
リールボディ２ａの内部には、ロータ３を回転させるためのロータ駆動機構５と、ロータ３の糸繰り出し方向の回転（逆転）を制動するためのレバーブレーキ機構６と、スプール軸８を介してスプール４を前後に往復移動させるオシレーティング機構２０とが設けられている。
ロータ３はたとえば合成樹脂又は金属製であり、リール本体２に回転自在に支持されている。ロータ３は、円筒部３ａと、円筒部３ａの側方に互いに対向して設けられた第１アーム部３ｂ及び第２アーム部３ｃとを有している。また、円筒部３ａの前壁３ｄ側の内周面には、後述するワンウェイクラッチ３２を構成する鋸歯状の第１凹凸部４２が形成されている。円筒部３ａの前壁３ｄの中央部には貫通孔３ｅ（図２参照）を有するボス部３ｆ（図２参照）が形成されている。この貫通孔３ｅに後述するスプール軸８及びピニオンギア１２が貫通している。第１アーム部３ｂの先端と第２アーム部３ｃの先端部とには、揺動自在にベールアーム９が設けられている。このベールアーム９により釣り糸がスプール４に案内される。
【００１６】
スプール４は、たとえば合成樹脂と金属とを複合したハイブリッド型のものである。スプール４は、ロータ３の第１アーム部３ｂと第２アーム部３ｃとの間に配置されており、スプール軸８の先端にワンタッチ着脱機構６５を介して着脱自在かつ回転不能に装着されている。スプール４は、糸巻胴部７ａを有するスプール本体７と、糸巻胴部７ａの前端部に取り付けられた大径の前フランジ部５１と、前フランジ部５１をスプール本体７に固定するための前フランジ固定部材５２とを有している。スプール本体７は、外周に釣り糸が巻かれる筒状の糸巻胴部７ａと、糸巻胴部７ａの後端部に一体成形された大径筒状のスカート部７ｂと、糸巻胴部７ａの内周側に取り付けられた内筒部材７ｃとを有している。
【００１７】
糸巻胴部７ａ及びスカート部７ｂは、アルミニウム合金、ステンレス合金、チタン合金、マグネシウム合金等の金属薄板をプレス加工により一体成形して得られた大小２段の筒状の部材である。
ロータ駆動機構５は、図１に示すように、ハンドル１が固定されたハンドル軸１０とともに回転するマスターギア１１と、このマスターギア１１に噛み合うピニオンギア１２とを有している。ハンドル軸１０は、リール本体２に回転自在に支持されている。ピニオンギア１２は筒状に形成されており、その前部１２ａはロータ３の貫通孔３ｅを貫通してスプール４側に延びている。この前部１２ａで、ロータ３はナット１３によりピニオンギア１２に回転不能に固定されている。ピニオンギア１２は、前部と中間部とで軸受１４ａ、１４ｂによりリール本体２に回転自在に支持されている。なお、前部の軸受１４ａは、リール本体２を構成する取付部材２ｅの内周面に装着されている。ナット１３は、リテーナ３６により緩み止めされている。リテーナ３６は前壁３ｄに形成されたねじ孔にねじ止め固定された装着されたビスにより固定されている。
【００１８】
オシレーティング機構２０は、減速ギア式のものであり、ハンドル軸１０に一体形成された駆動ギア２０ａと、リールボディ２ａに回転自在に装着されたカム付き従動ギア２０ｂと、カム付き従動ギア２０ｂの回転により前後移動するスライダ２０ｃとを有している。スライダ２０ｃにスプール軸８の後端部が回転不能かつ軸方向移動不能に取り付けられている。
【００１９】
〔レバーブレーキ機構の構成〕
レバーブレーキ機構６は、図１から図３に示すように、制動部１６と、制動部１６の制動力を調整操作するための制動レバー１７と、制動部１６を所定制動状態に操作するための補助レバー１８と、制動レバー１７を装着部２ｃから離反する方向に付勢するコイルばね１９と、補助レバー１８により所定制動状態と制動解除状態とに切換可能な所定制動部２１（図３参照）と、ロータ３の逆転により発音する発音機構８０（発音手段の一例、図３参照）とを有している。
【００２０】
〔制動部の構成〕
制動部１６は、図２に示すように、制動レバー１７の先端が圧接されて制動される制動部本体３１と、制動部本体３１をロータ３の糸繰り出し方向の回転にのみ連動して回転させる爪式のワンウェイクラッチ３２とを有している。
制動部本体３１は、ロータ３の内周側にロータ３と同心に配置された制動部材４０と、制動部材４０の内周面に固定された制動円筒４１とを有している。
【００２１】
制動部材４０は、図２に示すように、円筒部３ａの内周側に同芯に配置される外筒部４０ａと、外筒部４０ａの内周側に配置された内筒部４０ｂと、外筒部４０ａと内筒部４０ｂとを連結する円板部４０ｃとを有する二重筒状部材である。外筒部４０ａのリール本体２に近い後端部の内周面には、後述する発音機構８０を構成する鋸歯状の第２凹凸部８１が形成されている。内筒部４０ｂは、取付部材２ｅの外周面に装着された軸受１４ｃにより取付部材２ｅに回転自在に装着されている。
【００２２】
制動円筒４１は、外筒部４０ａの内周面から円板部４０ｃにかけて装着された中心孔を有する金属製の有底筒状部材であり、円板部４０ｃにねじ止め固定されている。この制動円筒４１の内周面に制動レバー１７の先端が当接して制動部材４０を制動する。制動円筒４１の後端部は第２凹凸部８１形成部分より前側まで延びている。
【００２３】
ワンウェイクラッチ３２は爪式のものであり、ロータ３の円筒部３ａの内周側面に形成された第１凹凸部４２と、円板部４０ｃに揺動自在に装着され先端が第１凹凸部４２に接触可能なクラッチ爪４３と、クラッチ爪４３を先端が第１凹凸部４２に接触する方向に付勢する捩じりばね４４とを有している。ワンウェイクラッチ３２は、前述したようにロータ３の糸繰り出し方向の回転にのみ連動して制動部材４０が回転させる。
【００２４】
〔制動レバーの構成〕
図１に示すように、制動レバー１７は、第１軸Ｘと食い違う第２軸Ｙ方向にリール本体２に装着された支持軸３３によりリール本体２に第２軸Ｙ回りに揺動自在に支持されている。支持軸３３は、図２に示すように、鍔付きの軸部材であり、蓋部材２ｄ側から挿入されたねじによりリール本体２に固定されている。また、前述したように、制動レバー１７は、コイルばね１９により装着部２ｃと離反する方向に付勢されている。制動レバー１７は、図５に示す制動解除位置と、制動解除位置より装着部２ｃに接近した図７に示す制動位置との間で揺動自在にリール本体２に取り付けられている。
【００２５】
制動レバー１７は、支持軸３３による支持部分から湾曲して前方に延びる制動操作部１７ａと、支持部分から湾曲して斜め前下方に延びる制動作用部１７ｂと、制動作用部１７ｂに着脱自在に装着された制動シュー３４とを有している。
制動操作部１７ａは、支持部分から装着部２ｃに沿ってベールアーム９の外方付近まで前方に延びた後、径方向外方に向けて延び、さらに先端が前方に向けて湾曲した形状である。この湾曲部分から前方が釣竿を握る手の人差し指で操作可能な第１操作部１７ｃとなっている。第１操作部１７ｃは、制動レバー１７の揺動により図１に示す第１位置から装着部２ｃに接近する方向に移動可能である。制動操作部１７ａは、図３及び図４に示すように、脚部２ｂから前方部分にかけて、径方向外方に延びる部分まで幅が大きくなっており、その幅広部分１７ｈには、装着部２ｃに向けて略矩形の開口１７ｅが形成されている。この開口１７ｅから後述する補助レバー１８の操作部材２６が装着部２ｃに向かって上方に露出している。また、幅広部分１７ｈから前方に向けて切り欠き１７ｇが形成されている。この切り欠き１７ｇを貫通して前方に向かって操作部材２６が突出している。この切り欠き１７ｇの開口部分には、制動レバー１７と補助レバー１８との隙間から釣り糸が侵入して糸噛みが生じるのを防止するために、板状の閉塞板３５がビス止めされている。
【００２６】
制動作用部１７ｂの先端は、制動円筒４１の内周側に対向して配置され、図２に示すように、その先端に制動円筒４１の内周面に接触可能な制動シュー３４が着脱自在に取り付けられている。制動シュー３４は、たとえばポリアミド系合成樹脂やポリアセタール等の弾性を有する合成樹脂製であり、制動レバー１７の揺動により制動円筒４１を径方向外方に押圧する。
【００２７】
制動レバー１７は、何も操作されないとコイルばね１９により付勢されて、図１に示すように、制動解除位置に配置されて制動シュー３４が閉塞板３５から離反している。
コイルばね１９は、制動レバー１７の制動操作部１７ａとリール本体２の脚部２ｂとの間に圧縮状態で配置されている。コイルばね１９は、制動レバー１７を制動解除側に向けて図１反時計回りに付勢している。これにより、制動レバー１７から手を離すと、ロータ３は制動解除状態になる。
【００２８】
〔補助レバーの構成〕
補助レバー１８は、所定制動部２１によりロータ３を図５に示す制動解除状態と図６に示す所定制動状態とに切り換える操作を行うためのものである。補助レバー１８は、図５に示すように、後述する第２操作部２６ａが装着部２ｃに接近した第２位置に配置される制動解除位置と、図６に示すように、第２操作部２６ａが装着部２ｃから離反した第３位置に配置される所定制動位置との間で揺動する。補助レバー１８は、図１、図３及び図４に示すように、支持軸３３に第２軸Ｙ回りに揺動自在にリール本体２に支持された板状の第１レバー部材２５と、第１レバー部材２５に装着された操作部材２６とを有している。
【００２９】
第１レバー部材２５は、制動レバー１７の図５手前側側面に並べて配置されている。第１レバー部材２５は、支持部分から制動レバー１７に沿って上前方及び前下方に延びており、前上方に延びた先端には、ねじ２９により操作部材２６が固定されている。第１レバー部材２５の先端は制動レバー１７の制動操作部１７ａの幅広部分１７ｈの開口１７ｅ内に位置している。また、支持部分より斜め前下方に延びた第１レバー部材２５の基端は、制動部１６の径方向外方かつ後方に配置されている。第１レバー部材２５の基端には、所定制動部２１の第２レバー部材２７の先端が係止される矩形の係止切り欠き２５ｃ（図２参照）が形成されている。係止切り欠き２５ｃは、第２レバー部材２７の先端部の横断面積より大きい面積の基端側に開口する矩形の切り欠きである。
【００３０】
操作部材２６は、先端に第２操作部２６ａを有している。第２操作部２６ａは、装着部２ｃから離反する側に第１操作部１７ｃと対向して配置されている。このため、第２操作部２６ａは、釣竿を握る手の人差し指で押し込み操作可能である。第１操作部１７ｃと第２操作部２６ａは、同じ指による引き込み操作と押し込み操作とが可能である。第２操作部２６ａは、補助レバー１８の揺動により図１及び図５に示す第２位置と図６に示す第３位置とに配置される。
【００３１】
操作部材２６は、開口１７ｅの下部から切り欠き１７ｇ及び閉塞板３５で囲まれた空間を貫通して前方に延びており、延びた先端に第２操作部２６ａが形成されている。このように第２操作部２６ａが切り欠き１７ｇ及び閉塞板３５で囲まれた空間を貫通して前方に延びているので、第２操作部２６ａの周囲、特にベールアーム９に近接する部分が空間により囲まれる。このため、釣り糸が糸ふけによりこの部分に接触しても操作部材２６と制動レバー１７との隙間への釣り糸の噛み込み（糸噛み）が生じにくくなる。また、切り欠き１７ｇを閉塞板３５で塞いでいるので、操作部材２６を取り付けた後に閉塞板３５を取り付けて空間を塞ぐことができる。このため、操作部材２６を取り付けしやすくなる。
【００３２】
また、補助レバー１８が所定制動位置に配置されると、図６に示すように、第２操作部２６ａの下面は、制動操作部１７ａの閉塞板３５に略接触する。これにより、補助レバー１８は、所定制動位置にあるとき、制動レバー１７の装着部２ｃに接近する方向の揺動に連動して制動解除位置に揺動する。
〔所定制動部の構成〕
所定制動部２１は、図３に示すように、第１レバー部材２５と連動して揺動する第２レバー部材２７と、第２レバー部材２７を制動解除位置と第１所定制動位置とで保持するトグルばね２８とを有している。第２レバー部材２７は、図３及び図８に示すように、リール本体２の前部にスプール軸８と平行な揺動軸２７ａ回りに揺動自在に装着されている。第２レバー部材２７の基端から揺動中心までの距離は、先端から揺動中心までの距離より２倍以上長い。第２レバー部材２７の先端は、係止切り欠き２５ｃに係止されており、第２レバー部材２７は、第１レバー部材２５と連動して制動解除位置（図８（ａ）参照）と所定制動位置（図８（ｂ）参照）との間で揺動する。
【００３３】
ここで、制動解除位置あるとき第２レバー部材２７の基端はトグルばね２８により付勢されて係止切り欠き２５ｃの上面に接触し、所定制動位置にあるとき下面に接触する。第２レバー部材２７の途中には、先端が制動円筒４１の内周側に配置された規制シュー３９が着脱自在に設けられている。規制シュー３９は、第２レバー部材２７の途中に折り曲げて一体形成された装着部２７ｃに着脱自在に装着されている。
【００３４】
第２レバー部材２７は、規制シュー３９の装着部分からさらに湾曲して延びており、延びた基端にトグルばね２８が装着されている。
ここでは、第２位置にある第２操作部２６ａを押し込み操作して第３位置に配置し、第１レバー部材２５を、図５に示す制動解除位置から図６に示す第１所定制動位置側に揺動させると、それに連動して第２レバー部材２７も制動解除位置から所定制動位置に揺動する。この結果、規制シュー３９が制動円筒４１を押圧してロータ３の糸繰り出し方向の回転を所定制動状態で制動する。
【００３５】
トグルばね２８は、図３及び図８に示すように、第２レバー部材２７を付勢して第２操作部２６ａを第２位置と第３位置とに振り分けて付勢し、その姿勢を保持することができる。トグルばね２８は、第２レバー部材２７の基端に装着された捩じりコイルばねである。トグルばね２８は、一端が第２レバー部材２７の基端に係止され、他端がリールボディ２ａの前端面に係止されている。トグルばね２８は、図８（ａ）に示すように、第２レバー部材２７が制動解除位置に配置されると、第２レバー部材２７を図８（ａ）の時計回りに付勢し、所定制動位置に配置されると図８（ｂ）の反時計回りに付勢する。これにより、第２レバー部材２７が制動解除位置と所定制動位置とで保持され、さらに第１レバー部材２５が制動解除位置と所定制動位置とに保持される。
【００３６】
ここでは、第２レバー部材２７の基端から揺動中心までの距離が先端から揺動中心までの距離より２倍以上長いので、第１レバー部材２５が揺動すると、その揺動が第２レバー部材２７の基端側で２倍以上の揺動距離となって現れ、トグルばね２８が容易に反転可能になる。
〔発音機構の構成〕
発音機構８０は、ロータ３が糸繰り出し方向に回転したときにそのことを報知するために発音する機構であり、図３、図９から図１１に示すように、制動部材４０（第１発音部の一例）の後端内周面に回転方向に沿って設けられた第２凹凸部８１と、リール本体２の前部に設けられた装着部８２（第２発音部の一例）と、装着部８２に設けられ、第２凹凸部８１に弾性的に接触する音出し部８３とを有している。また、発音機構８０の上部には、図９及び図１０に示すように、発音機構８０のオン状態とオフ状態とを切り換える切換機構９０（切換手段の一例）が設けられている。
【００３７】
第２凹凸部８１は、制動部材４０の後端内周面に周方向に沿って形成された多数の鋸歯状の凹凸８１ａを有している。
装着部８２は、リールボディ２ａの前部から前方に一体で突出する装着ボス８５と、スプール軸８と平行に配置され装着ボス８５の先端にねじ込み固定された装着ねじ８６とを有している。装着ねじ８６は、音出し部８３を回動自在に支持するねじ軸である。装着ねじ８６は、工具を係止するための鍔部８６ａと、音出し部８３を回動自在に支持する鍔部８６ａより小径の支持部８６ｂと、装着ボス８５にねじ込まれるねじ部８６ｃとを有している。
【００３８】
音出し部８３は、装着部８２の装着ねじ８６に回動自在に装着された音出し爪８７と、音出し爪８７を凹凸部８１に向けて付勢する捩じりばね８８とを有している。音出し爪８７は、たとえば先端が鋭角に尖った板状の部材であり、第２凹凸部８１に接触可能に先端に形成された爪部８７ａと、装着ねじ８６に支持されるように形成された回動支持部８７ｂと、回動支持部８７ｂを挟んで爪部８７ａと逆側に設けられ後述する切換機構９０の切換部９０ｂ（図９及び図１０参照）が係止可能な係止部８７ｃとを有している。爪部８７ａは、たとえば板材を鋭角に切断して形成されており、先端が第２凹凸部８１に入り込んで配置されている。
【００３９】
捩じりばね８８は、一端がリール本体２に突出して形成された係止部２ｆに係止され、他端が爪部８７ａの側部に係止されている。これにより、音出し爪８７の爪部８７ａが常に第２凹凸部８１に向けて付勢されている。
切換機構９０は、図９に示す発音機構８０のオン状態と、図１０に示す発音機構８０のオフ状態との２つの状態に切り換えるためのものである。切換機構９０は、発音機構８０の上部に回動自在に装着された回動支持部９０ａと、回動支持部９０ａから一方向に延びる切換部９０ｂと、回動支持部９０ａから切換部９０ｂと間隔をあけて一方向に延びる取付部９０ｃと、回動支持部９０ａから切換部９０ｂ及び取付部９０ｃと逆側に延びる操作部９０ｄとを有する略Ｙ字状の部材である。
【００４０】
切換部９０ｂは、音出し爪８７の係止部８７ｃが係止可能かつ離反可能な位置に揺動自在に設けられている。切換部９０ｂの前面一端部には、係止部８７ｃが接触して係止される突起部９０ｅが形成されている。
取付部９０ｃは、先端部にリール本体２に装着された捩じりばね９１の一端が取り付けられている。捩じりばね９１は、切換部９０ｂが係止部８７ｃから離反する方向、すなわち発音機構８０がオン状態になる方向に付勢している。
【００４１】
操作部９０ｄは、先端部がリール本体２外方に突出して設けられ、釣人が上下方向に揺動操作可能な部材である。発音機構８０のオン状態のときは、図９に示すように、操作部９０ｄが下位置に位置しており、発音機構８０のオフ状態のときは、図１０に示すように、操作部９０ｄが上位置に位置している。操作部９０ｄが下位置に位置すると、図９に示すように、回動支持部９０ａを中心に回動し、切換部９０ｂの突起部９０ｅが係止部８７ｃから離反して、爪部８７ａが第２凹凸部８１に入り込んで発音する。操作部９０ｄが上位置に位置すると、図１０に示すように、切換部９０ｂの突起部９０ｅが係止部８７ｃに接触して、爪部８７ａが第２凹凸部８１から離反して発音機構８０がオフ状態となる。
【００４２】
このような構成の発音機構８０では、制動部材４０がワンウェイクラッチ３２を介して糸繰り出し方向に回転すると発音するとともに、制動部材４０の糸巻取方向の回転に対しては回転を阻止する。ただし、通常は制動部材４０は、ワンウェイクラッチ３２により糸巻取方向の回転はロータ３から伝達されない。また、ここでは切換機構９０が設けられているので、発音機構８０のオン状態とオフ状態とを切り換えることができる。
【００４３】
〔リールの動作及び操作〕
キャスティング時にはベールアーム９を糸開放姿勢側に倒し、釣竿を降り出すことにより、スプール４の外周から釣り糸が繰り出される。糸巻取時には、ハンドル１を糸巻き取り方向に回転させると、ベールアーム９が図示しない戻し機構により糸巻き取り姿勢に戻る。ハンドル１の回転力はハンドル軸１０、マスターギア１１を介してピニオンギア１２に伝達される。ピニオンギア１２に伝達された回転力は、ピニオンギアの前部１２ａを介してロータ３に伝達される。このときロータ３は糸巻き取り方向に回転するので、ワンウェイクラッチ３２の作用によりこの回転力は制動部材４０には伝達されない。ピニオンギア１２が回転すると、スプール軸８が前後方向に往復移動する。
【００４４】
制動レバー１７を何も操作しなければ、制動レバー１７はコイルばね１９により押圧され制動解除位置側に配置される。このとき、補助レバー１８の第２操作部２６ａが第２位置に配置されていると、図５及び図８（ａ）に示すように、制動シュー３４及び規制シュー３９が制動円筒４１から離反し、ロータ３は制動解除状態になる。
【００４５】
ロータ３を逆転させて魚とやりとりする時には、制動レバー１７の第１操作部１７ｃをたとえば人差し指により装着部２ｃ側に引き込み操作して制動力を調整する。
釣り糸が魚により引かれてロータ３が糸繰り出し方向に逆転すると、その回転力がワンウェイクラッチ３２を介して制動部材４０に伝達され、さらに制動円筒４１に伝達される。この結果、制動円筒４１がロータ３と一体で回転する。制動レバー１７の第１操作部１７ｃを装着部２ｃに接近する方向に引き込み操作すると、たとえ第２レバー部材２７が所定制動位置にあっても、図６に示すように閉塞板３５が操作部材２６の第２操作部２６ａを装着部２ｃに接近する方向に押圧し、補助レバー１８が制動レバー１７に連動して所定制動位置から制動解除位置側に揺動し、第２レバー部材２７が制動解除位置側に揺動する。この結果、所定制動部２１による所定制動状態が一旦解除される。このとき、トグルばね２８が第２レバー部材２７の揺動により反転し、第２レバー部材２７が制動解除位置側に付勢され、第１レバー部材２５が制動解除位置側で保持される（図８（ａ））。
【００４６】
この状態でさらに制動レバー１７を装着部２ｃに接近する方向に操作すると、制動レバー１７の制動シュー３４が制動円筒４１内周面を径方向外方に強く押圧する。この制動力は制動レバー１７に加える力を加減することにより調整でき、ロータ３の逆転量を任意に調整できる。この結果、制動レバー１７の操作力に応じた制動力がロータ３に付与される。このように、所定制動状態の解除を忘れても、制動レバー１７を引き込み操作するだけで、所定制動状態を解除できる。
【００４７】
このロータの逆転時には、制動円筒４１が回転し、その回転により発音機構８０が発音する。すなわち制動円筒４１が回転すると、制動円筒４１に形成された第２凹凸部８１に接触する音出し爪８７が振動し、その振動により制動円筒４１が発音する。このように、ロータ３が糸繰り出し方向に回転すると発音するので、ロータ３が糸繰り出し方向に回転していることを釣人が確実に認識できる。このため、当たりや不意の制動レバー１７の操作でロータ３が糸繰り出し方向に回転しても、当たりを逃したり、仕掛けの自重により釣り糸が繰り出されてしまったりするといったロータの逆転（糸繰り出し方向の回転）に関連する不具合が生じにくくなる。
【００４８】
釣り場を移動する時やリールを収納する時には、第１操作部１７ｃから手を離した状態で、補助レバー１８の第２操作部２６ａを装着部２ｃから離反する方向に押し込み操作する。すると、図６及び図８（ｂ）に示すように、補助レバー１８が制動解除位置から所定制動位置に揺動し、第２レバー部材２７が制動解除位置から所定制動位置に揺動し、トグルばね２８によりその位置で保持される。この所定制動位置では、第２操作部２６ａの下面が閉塞板３５に略接触する。
【００４９】
さらに、仕掛けの垂らし長さを変更するためや、魚に当たりがあった時に魚に仕掛けを確実に食い込ませるために、ロータ３を所定制動状態から制動解除状態にしたい場合には、制動レバー１７を僅かに装着部２ｃに接近する方向に操作すればよい。すると、前述した図６に示すように、制動レバー１７により第２操作部２６ａが押圧されて補助レバー１８が制動解除位置側に揺動する。この結果、第２レバー部材２７が制動解除位置に揺動して第１又は第２所定制動状態がいったん解除される。もちろん、第２操作部２６ａを引き込み操作しても所定制動状態を解除できる。
【００５０】
また、所定制動部２１により所定制動状態にしているときに、誤操作により制動レバー１７を装着部２ｃに接近する方向に操作して仕掛けの自重によりロータ３が逆転しても、ロータ３の逆転により発音機構８０が発音する。これにより、釣人は瞬時にロータ３の逆転を認識でき補助レバー１８を押圧操作する等の操作により、誤操作に対処することができる。
【００５１】
ここでは、ロータ３が糸繰り出し方向に回転したとき発音可能な発音機構８０を有しているので、釣人はロータ３の糸繰り出し方向の回転を容易に認識することができる。また、発音機構８０のオン状態とオフ状態とを切り換える切換機構９０をさらに有している。このため、釣人は場合に応じて切換機構９０をオフ状態にすることにより、ロータ３が糸繰り出し方向に回転したときに常に発音するのを抑えることができる。
【００５２】
〔他の実施形態〕
（ａ）  前記実施形態では、レバーブレーキ型のスピニングリールを例にあげて説明したが、フロントドラグ式のスピニングリールや、リアドラグ式のスピニングリールや、ドラグ機構を有さない他の全てのスピニングリールにも本発明を適用できる。
【００５３】
（ｂ）  前記実施形態では、制動レバー１７と補助レバー１８により制動操作と所定制動操作とを行ったが、補助レバーを有さずに制動レバーを所定制動位置と制動解除位置とに切り換える切換部材を有するレバーブレーキ形のスピニングリールにも本発明を適用できる。また、制動レバー１７を第２レバー部材２７に連結して第２レバー部材２７を制動レバー１７により直接揺動させるレバーブレーキ型のスピニングリールにも本発明を適用できる。
【００５４】
（ｃ）  前記実施形態では、制動レバー１７や補助レバー１８はリール本体２に揺動自在に装着されているが、装着部２ｃに接離する方向に移動するのであれば直線移動するような他の移動形態にしてもよい。
（ｄ）  前記実施形態では、発音機構８０は、第１発音部は、ロータ３の糸繰り出し方向の回転に連動して回転する制動部材４０であったが、これに限定されるものではなく、ロータ３の糸繰り出し方向の回転に連動して回転する回転部材であってもよい。
【００５５】
（ｅ）  前記実施形態では、発音機構８０は、第１発音部である制動部材４０の第２凹凸部８１に、第２発音部である音出し部８３の音出し爪８７を弾性的に接触させて発音するようにしていたが、これに限定されるものではない。たとえば、周方向に間隔を隔てて設けられた複数の凹凸部を有する第１発音部と、ロータの糸繰り出し方向の回転に連動して回転し糸繰り出し方向に回転したとき先端部が凹凸部に当接を繰り返して発音する第２発音部とを有する構成にしてもよい。具体的には、図示しないが、たとえば第１発音部としてリール本体の内周側に複数の凹凸部を設け、第２発音部としてロータの糸繰り出し方向の回転に連動して回転する円板部材や筒状部材等の回転部材に音出し爪や音出しピン等の音出し部を設けてもよい。
【００５６】
【発明の効果】
本発明に係るスピニングリールの発音装置では、ロータが糸繰り出し方向に回転したとき発音可能な発音手段を有しているので、釣人はロータの糸繰り出し方向の回転を容易に認識することができ、発音手段のオン状態とオフ状態とを切り換える切換手段をさらに有しているので、ロータが糸繰り出し方向に回転したときに常に発音するのを抑えることができる。
【図面の簡単な説明】
【図１】本発明の一実施形態によるスピニングリールの側面断面図。
【図２】前記スピニングリールの制動部の断面拡大図。
【図３】図１のＩＩＩ−ＩＩＩ断面図。
【図４】制動レバーの平面図。
【図５】制動解除状態の各レバーと制動円筒の状態を示す断面模式図。
【図６】所定制動状態の各レバーと制動円筒の状態を示す断面模式図。
【図７】制動状態における各レバーと制動円筒の状態を示す断面模式図。
【図８】制動解除状態と所定制動状態での第２レバー部材の動作を示す模式図。
【図９】発音機構及び切換機構のオン状態の構成を示す正面図。
【図１０】前記発音機構及び前記切換機構のオフ状態の構成を示す正面図。
【図１１】前記発音機構の断面図。
【符号の説明】
２  リール本体
２ａ  リールボディ
３  ロータ
６  レバーブレーキ機構
１６  制動部
１７  制動レバー
２１  所定制動部
２７  第２レバー部材
８０  発音機構
８１  凹凸部
８１ａ  凹凸
８２  装着部
８３  音出し部
８７  音出し爪
８８  コイルばね
９０  切換機構
【図１】
2004305118.tif 000003
【図２】
2004305118.tif 000004
【図３】
2004305118.tif 000005
【図４】
2004305118.tif 000006
【図５】
2004305118.tif 000007
【図６】
2004305118.tif 000008
【図７】
2004305118.tif 000009
【図８】
2004305118.tif 000010
【図９】
2004305118.tif 000011
【図１０】
2004305118.tif 000012
【図１１】
2004305118.tif 000013